(57)【要約】    【課題】  ネットワークトラフィックやシステム全体の負荷を軽減することができる情報処理装置、情報処理方法及び情報処理プログラムを提供する。    【解決手段】  サーバ装置１０４において、端末装置へメッセージを送信する際に、メッセージの送信条件が設定され（図５、図９のステップＳ１０２，１０３）、ストレージ部４０７に格納されたプレゼンス情報と上記設定されたメッセージの送信条件とが一致するか否かが判別され（図９のステップＳ１０７〜１１０）、プレゼンス情報とメッセージの送信条件とが一致する場合に、端末装置へメッセージが送信される（ステップＳ１１１）。【選択図】      図９
2006285782.tif 000002
【特許請求の範囲】
【請求項１】
端末装置に接続される情報処理装置において、
前記端末装置を利用するユーザの現在のプレゼンス情報を格納する格納手段と、
前記端末装置へメッセージを送信する際に、メッセージの送信条件を設定する送信条件設定手段と、
前記格納手段に格納されたプレゼンス情報と前記送信条件設定手段により設定されたメッセージの送信条件とが一致するか否かを判別する一致判別手段と、
前記プレゼンス情報と前記メッセージの送信条件とが一致する場合に、前記端末装置へメッセージを送信する送信手段と
を備えることを特徴とする情報処理装置。
【請求項２】
前記プレゼンス情報と前記メッセージの送信条件とが一致しない場合に、前記端末装置へメッセージの送信を中止する送信中止手段を備えることを特徴とする請求項１記載の情報処理装置。
【請求項３】
前記プレゼンス情報は、ユーザ名の情報、ログイン情報及び勤務状況情報を備えることを特徴とする請求項１又は２記載の情報処理装置。
【請求項４】
前記送信条件設定手段は、前記メッセージの送信先をオンライン又はオフラインのユーザ若しくは全てのユーザのいずれかに設定する第１設定手段と、前記メッセージの送信先をユーザの状況情報の中から少なくとも１つ設定する第２設定手段とを備えることを特徴とする請求項１乃至３のいずれか１項記載の情報処理装置。
【請求項５】
前記送信手段は、前記プレゼンス情報と前記第１設定手段及び前記第２設定手段で設定されたメッセージの送信先とが一致する場合に、前記端末装置へメッセージを送信することを特徴とする請求項４記載の情報処理装置。
【請求項６】
端末装置に接続されると共に前記端末装置を利用するユーザの現在のプレゼンス情報を格納する格納手段を備える情報処理装置に適用される情報処理方法において、
前記端末装置へメッセージを送信する際に、メッセージの送信条件を設定する送信条件設定工程と、
前記格納手段に格納されたプレゼンス情報と前記送信条件設定工程により設定されたメッセージの送信条件とが一致するか否かを判別する一致判別工程と、
前記プレゼンス情報と前記メッセージの送信条件とが一致する場合に、前記端末装置へメッセージを送信する送信工程と
を備えることを特徴とする情報処理方法。
【請求項７】
端末装置に接続されると共に前記端末装置を利用するユーザの現在のプレゼンス情報を格納する格納手段を備えるコンピュータで実行される情報処理プログラムにおいて、
前記端末装置へメッセージを送信する際に、メッセージの送信条件を設定する送信条件設定モジュールと、
前記格納手段に格納されたプレゼンス情報と前記送信条件設定工程により設定されたメッセージの送信条件とが一致するか否かを判別する一致判別モジュールと、
前記プレゼンス情報と前記メッセージの送信条件とが一致する場合に、前記端末装置へメッセージを送信する送信モジュールと
を備えることを特徴とする情報処理プログラム。
【発明の詳細な説明】
【技術分野】
【０００１】
本発明は、複数の端末装置に接続される情報処理装置、情報処理方法及び情報処理プログラムに関し、特に、複数のユーザの間で、ユーザ自身の現在の状況情報を共有することのできるプレゼンス情報共有システムに適用する情報処理装置、情報処理方法及び情報処理プログラムに関する。
【背景技術】
【０００２】
インターネット網や組織内のイントラネット網等の普及により、複数のユーザ端末により構成されるグループで現在の各ユーザの状況情報を共有することのできるプレゼンス情報共有システムが開発され、その普及が期待されている。
【０００３】
その種のシステムとしては、相手がオンラインの場合は相手が使用している機器の画面上にメッセージを送信し、一方相手がオフラインの場合はデータベースに保存されている呼び出し用メールアドレスに、オンラインを促すための勧誘メッセージを自動送信し、相手がオンラインになった段階で作成したメッセージを送信するインスタント・メッセージ送受信システムが知られている（例えば、特許文献１参照）。
【０００４】
また、プレゼンス情報を共有するシステムではないが、電子メールを用いた文書の回覧システムで、在席・不在により回覧順を制御する電子メール回覧システムが知られている（例えば、特許文献２参照）。
【特許文献１】特開２００３−４４４１８号公報
【特許文献２】特開平６−２１６９３４号公報
【発明の開示】
【発明が解決しようとする課題】
【０００５】
しかしながら、従来のシステムでは、受信側ユーザの状況を考慮して送信先を選択する機能がなかったため、ユーザの不在時や、長期休暇中に必要のない情報を送るということがあり、余計なメッセージ送信が増え、ネットワークトラフィックやシステム全体の負荷が増大するという問題があった。
【０００６】
本発明の目的は、ネットワークトラフィックやシステム全体の負荷を軽減することができる情報処理装置、情報処理方法及び情報処理プログラムを提供することにある。
【課題を解決するための手段】
【０００７】
上記目的を達成するため、請求項１の情報処理装置は、端末装置に接続される情報処理装置において、前記端末装置を利用するユーザの現在のプレゼンス情報を格納する格納手段と、前記端末装置へメッセージを送信する際に、メッセージの送信条件を設定する送信条件設定手段と、前記格納手段に格納されたプレゼンス情報と前記送信条件設定手段により設定されたメッセージの送信条件とが一致するか否かを判別する一致判別手段と、前記プレゼンス情報と前記メッセージの送信条件とが一致する場合に、前記端末装置へメッセージを送信する送信手段とを備えることを特徴とする。
【０００８】
請求項６の情報処理方法は、端末装置に接続されると共に前記端末装置を利用するユーザの現在のプレゼンス情報を格納する格納手段を備える情報処理装置に適用される情報処理方法において、前記端末装置へメッセージを送信する際に、メッセージの送信条件を設定する送信条件設定工程と、前記格納手段に格納されたプレゼンス情報と前記送信条件設定工程により設定されたメッセージの送信条件とが一致するか否かを判別する一致判別工程と、前記プレゼンス情報と前記メッセージの送信条件とが一致する場合に、前記端末装置へメッセージを送信する送信工程とを備えることを特徴とする。
【０００９】
請求項７の情報処理プログラムは、端末装置に接続されると共に前記端末装置を利用するユーザの現在のプレゼンス情報を格納する格納手段を備えるコンピュータで実行される情報処理プログラムにおいて、前記端末装置へメッセージを送信する際に、メッセージの送信条件を設定する送信条件設定モジュールと、前記格納手段に格納されたプレゼンス情報と前記送信条件設定工程により設定されたメッセージの送信条件とが一致するか否かを判別する一致判別モジュールと、前記プレゼンス情報と前記メッセージの送信条件とが一致する場合に、前記端末装置へメッセージを送信する送信モジュールとを備えることを特徴とする。
【発明の効果】
【００１０】
請求項１の情報処理装置、請求項６の情報処理方法及び請求項７の情報処理プログラムによれば、端末装置へメッセージを送信する際に、メッセージの送信条件が設定され、プレゼンス情報とメッセージの送信条件とが一致するか否かが判別され、プレゼンス情報とメッセージの送信条件とが一致する場合に、上記端末装置へメッセージが送信されるので、例えば、「今からサーバメンテナンスのため１０分ほどサービス停止します」、「サーババックアップ作業のためサーバレスポンスが低下します」等のシステムのメンテナンス情報のメッセージをシステムにログインしていないオフラインユーザやオンラインではあるが不在のユーザに送信しないようにすることができる。結果として、ユーザにとって必要の無い余計なメッセージの送信を削減し、ユーザに不要な情報が記載されているメッセージを読む手間をなくし、ネットワークトラフィックやシステム全体の負荷を軽減することがきる。
【発明を実施するための最良の形態】
【００１１】
以下、本発明の実施の形態を図面に基づいて詳細に説明する。
【００１２】
図１は、本発明の実施の形態における情報処理装置が適用されるプレゼンス情報共有システムの全体構成を示す図である。
【００１３】
図１において、端末装置１０１，１０２，１０５は各々その内部に通信機能を有し、インターネット１０３に接続されている。端末装置１０１，１０２、１０５はパーソナルコンピュータ（ＰＣ）によって構成され、プレゼンス情報共有システム端末装置用プログラムによって動作する。端末装置は４台以上接続されてもよい。サーバ装置１０４（情報処理装置）は、同様にその内部に通信機能を有し、インターネット１０３に接続されている。なお、サーバ装置１０４はサーバ用コンピュータによって構成され、プレゼンス情報共有システムサーバ装置用プログラムによって動作する。
【００１４】
図２は、端末装置１０１の画面に表示されるプレゼンス情報共有システムの画面表示の一例を示す図である。なお、端末装置１０２，１０５の画面表示もこれと同様なので、その説明は省略する。
【００１５】
同図において、２０１はユーザの名称であり、２０２は当該ユーザが使用している端末装置（ここでは端末装置１０１とする）からサーバ装置１０４を介して他ユーザへ配信された文字情報であるメッセージ情報である。２０３は当該ユーザの使用する端末装置１０１から送信されサーバ装置１０４を経由して他ユーザへ配信された画像情報である。画像情報は、サーバ装置１０４を経由して継続的に配信され、現在の状況が把握できるようにリアルタイム画像が表示される。２０４は当該ユーザが使用している端末装置１０１からサーバ装置１０４を介して他ユーザへ配信された在席情報である。
【００１６】
図２では７人のユーザがサーバ装置１０４に１つのグループとして登録され利用している様子が示されているが、これらのユーザが所属するグループの名称がフォルダ２０５に示されている。なお、図２に示す画面表示例が原則として当該グループに所属するユーザの端末装置の画面上に表示される。
【００１７】
図３は、端末装置１０１の構成を示すブロック図である。なお、端末装置１０２，１０５の構成もこれと同様なので、その説明は省略する。
【００１８】
端末装置１０１は、上述したようにＰＣによって構成され、具体的には、通信制御部３０１、入力部３０２、ＣＰＵ３０３、表示部３０４、ＲＯＭ３０５、ＲＡＭ３０６、ストレージ部３０７を備えている。
【００１９】
通信制御部３０１はインターネット１０３に接続するための通信制御を処理するが、ユーザの環境に応じてさまざまな通信インターフェースが適用される。アクセス網に直接接続する場合は各種モデムやターミナルアダプタなどで構成され、外部装置のＡＤＳＬモデムやケーブルモデムに接続する場合はイーサーネットインタフェースで構成される。
【００２０】
入力部３０２は、キーボード、マウス、マイクロフォン及びビデオカメラなどで構成されていて、キーボードはユーザが入力するメッセージ情報の取得に、ビデオカメラはユーザ自身およびその近辺の状況を含む勤務状況映像の撮像に用いられる。
【００２１】
ＣＰＵ３０３はＰＣ全体の制御に加えてプレゼンス情報共有システム端末装置用プログラムデータが指示する処理を実行する。
【００２２】
表示部３０４は、ＣＲＴまたは液晶ディスプレイなどによって構成され、図２に示す画面表示は表示部３０４のスクリーン上に表示される。
【００２３】
ＲＯＭ３０５はＣＰＵ３０３に必要な命令やデータを格納し、ＲＡＭ３０６はＣＰＵ３０３の動作に必要な作業メモリとして使用される。
【００２４】
ストレージ部３０７は、具体的にはハードディスクドライブである。ストレージ部３０７はプレゼンス情報共有システム端末装置用プログラムデータ３０９が格納されるとともに、プレゼンス情報共有システム端末装置用プログラムデータ３０９の動作に必要なデータの格納を行う。３０１から３０７の各構成要素はシステムバス３０８に接続されている。
【００２５】
図４は、サーバ装置１０４の構成を示すブロック図である。サーバ装置１０４は、上述したようにサーバ用コンピュータによって構成され、通信制御部４０１、入力部４０２、ＣＰＵ４０３、表示部４０４、ＲＯＭ４０５、ＲＡＭ４０６、ストレージ部４０７を備えている。
【００２６】
通信制御部４０１はインターネット１０３に接続するための通信制御を実行するが、通常サーバ装置１０４はインターネット基幹網に近いインターネットサービスプロバイダのＮＯＣ（Ｎｅｔｗｏｒｋ  Ｏｐｅｒａｔｉｏｎ  Ｃｅｎｔｅｒ）に設置されるため、通信インターフェースとしてＮＯＣのルーターに接続するための高速イーサーネットインタフェースで構成される。
【００２７】
入力部４０２はサーバ用コンピュータの管理用キーボードおよびマウスであるが、これらを備えずネットワーク経由で接続される管理用コンピュータから管理処理に係る入力を行う場合もある。
【００２８】
ＣＰＵ４０３はサーバ装置１０４全体の制御に加えてプレゼンス情報共有システムサーバ装置用プログラムデータが指示する処理を行う。
【００２９】
表示部４０４は、ＣＲＴまたは液晶ディスプレイによって構成される。
【００３０】
ＲＯＭ４０５はＣＰＵ４０３に必要な命令やデータを格納し、ＲＡＭ４０６はＣＰＵ４０３の動作に必要な作業メモリとして使用される。
【００３１】
ストレージ部４０７は、具体的にはハードディスクドライブである。ストレージ部４０７にはプレゼンス情報共有システムサーバ装置用プログラムデータ４０９が格納されるとともに、プレゼンス情報共有システムサーバ装置用プログラムデータ４０９の動作に必要なデータや、ユーザーデータベース情報（管理テーブル）や、端末装置から送信されたメッセージ情報データが格納される。４０１から４０７の各構成要素はシステムバス４０８に接続されている。
【００３２】
図５は、サーバ装置１０４の表示部４０４に表示されている、メッセージを送信するための送信画面の一例を示す図である。
【００３３】
同図において、５０１は送信先を選択するための組織情報であり、５０２は組織情報５０１にて選択された組織名が表示される送信先表示エリアである。５０３は送信するメッセージのタイトルの入力エリアである。５０４は送信するメッセージの本文の入力エリアであり、入力エリア５０３及び入力エリア５０４で入力された情報がサーバ装置１０４を介して他ユーザへ配信されるメッセージ情報である。このメッセージ情報は文字情報で構成される。５０５は送信先ユーザのオンライン又はオフラインの状況を送信時のフィルタとして使用するための設定部分であり、本実施の形態では送信条件１としている。５０６は送信先ユーザの現在のユーザの状況情報（すなわち、図５に示す在席、離席、会議中、休暇、外出、終業、休憩の情報）を送信時のフィルタとして使用するための設定部分であり、本実施の形態では送信条件２としている。送信条件１および送信条件２はそれぞれ独立した情報である。５０７は送信開始ボタンであり、５０８は入力した情報をクリアするためのリセットボタンである。
【００３４】
図６は、端末装置１０１に表示されるサーバ装置１０４を介して受信したメッセージを示す図である。なお、端末装置１０２，１０５も同様のメッセージを受信可能である。
【００３５】
同図において、６０１はメッセージのタイトル部分であり、図５の入力エリア５０３に入力されたタイトル情報である。６０２は送信者名を表示する部分である。６０３は受信者情報を表示する部分である。６０４はメッセージの本体部分であり、図５の入力エリア５０４に入力された情報である。６０５は送信した日時情報である。６０６はこのメッセージウィンドウを閉じるためのボタンである。６０７はこのメッセージ情報を保存領域から削除するためのボタンである。６０８はこのメッセージ情報を他のユーザに転送するためのボタンである。
【００３６】
図７は、サーバ装置１０４のストレージ部４０７に保存されているユーザの管理テーブルの一部を示す図であり、本実施の形態の説明で必要な部分のみ記載したものである。
【００３７】
同図において、フィールド７０１は、このシステムに登録されているユーザ名を示す。
フィールド７０２は、本システムに登録される組織情報の最上位に位置する組織情報レベル１を示し、このフィールド７０２には「本社」、「支社」などの情報が入力される。フィールド７０３は、本システムに登録される組織情報の中間に位置する組織情報レベル２を示し、このフィールド７０３には、「企画部」「営業部」「開発部」などのユーザが属する部門の情報が入力される。フィールド７０４は、本システムに登録される組織情報の最下位に位置する組織情報レベル３を示し、「企画課」「営業１課」「開発１課」などのユーザが属する課の情報が入力される。
【００３８】
図８は、サーバ装置１０４のストレージ部４０７に保存されているプレゼンス情報の管理テーブルの一部を示す図であり、本実施の形態の説明で必要な部分のみ抜き出したものである。
【００３９】
同図において、フィールド８０１は、このシステムに登録されているユーザ名を示し、上記図７のフィールド７０１に対応している。フィールド８０２は、ユーザのオンライン・オフライン情報を示し、フィールド８０３は、勤務状況情報を示す。
【００４０】
フィールド８０２のユーザのオンライン・オフライン情報は、ユーザのログイン情報に相当し、端末装置１０１，１０２，１０５がサーバ装置１０４にログインするときに、ＣＰＵ４０３により更新される。
【００４１】
フィールド８０３の勤務状況情報は、端末装置１０１，１０２，１０５から所定のデータが入力されたときに、ＣＰＵ４０３により更新される。
【００４２】
図９は、サーバ装置１０４のメッセージ送信処理を示すフローチャートである。本処理は主としてＣＰＵ４０３が実行する。
【００４３】
まず、図５の送信ボタン５０７が押下されると、図５の入力エリア５０３に入力されたタイトル及び入力エリア５０４に入力されたメッセージの本文に基づいてメッセージ本体を作成し、作成されたメッセージ本体をＲＡＭ４０６又はストレージ部４０７に一旦保持し（ステップＳ１０１）、図５の送信条件１（５０５）の情報をＲＡＭ４０６又はストレージ部４０７に一旦保持し（ステップＳ１０２）、さらに、図５の送信条件２（５０６）の情報をＲＡＭ４０６又はストレージ部４０７に一旦保持する（ステップＳ１０３）。
【００４４】
次に、図５の組織情報５０１及び送信先表示エリア５０２に表示される送信先情報に基づいて、図７のユーザ管理テーブルからその送信先情報と一致するユーザ情報のすべてを取得し、ＲＡＭ４０６又はストレージ部４０７に一旦保持する（ステップＳ１０４）。
【００４５】
その後、ステップＳ１０４で取得したユーザ情報のうち、まず１ユーザ分の情報をＲＡＭ４０６又はストレージ部４０７から取得し（ステップＳ１０５）、ステップＳ１０５で取得したユーザ情報を元に、ユーザのプレゼンス情報管理テーブルから該当するユーザのプレゼンス情報であるオンライン情報及び勤務状況情報を取得する（ステップＳ１０６）。
【００４６】
ついで、ステップＳ１０６で取得したオンライン情報が「ＹＥＳ」であるか否かを判別する（ステップＳ１０７）。
【００４７】
ステップＳ１０７の判別の結果、オンライン情報が「ＹＥＳ」である場合には、ステップＳ１０３で保存した送信条件１の情報が、「オフラインのみ」または「全てのユーザ」であるか否かを判別する（ステップＳ１０８）。
【００４８】
ステップＳ１０８の判別の結果、送信条件１の情報が、「オフラインのみ」または「全てのユーザ」である場合には、ステップＳ１１２に進む。一方、送信条件１の情報が、「オンラインのみ」である場合には、ステップＳ１０３で保持した送信条件２とステップＳ１０６で取得したプレゼンス情報のうちの勤務状況情報とが一致するか否かを判別する（ステップ１１０）。
【００４９】
ステップＳ１１０の判別の結果、ステップＳ１０３で保持した送信条件２とステップＳ１０６で取得したプレゼンス情報のうちの勤務状況情報とが一致する場合には、ステップＳ１０１で作成保存したメッセージをステップＳ１０５で取得したユーザに送信するメッセージ送信処理を実行し（ステップＳ１１１）、ステップＳ１１２に進む。一方、ステップＳ１０３で保持した送信条件２とステップＳ１０６で取得したプレゼンス情報のうちの勤務状況情報とが一致しない場合には、ステップＳ１１２に進む。
【００５０】
上記ステップＳ１０７の判別の結果、オンライン情報が「ＮＯ」である場合には、ステップＳ１０３で保存した送信条件１の情報が、「オンラインのみ」または「全てのユーザ」であるか否かを判別する（ステップＳ１０９）。
【００５１】
ステップＳ１０９の判別の結果、送信条件１の情報が、「オンラインのみ」または「全てのユーザ」である場合には、ステップＳ１１２に進む。一方、送信条件１の情報が、「オフラインのみ」である場合には、ステップ１１０に進む。
【００５２】
ステップＳ１１２において、次ユーザの存在の有無を判別し（ステップＳ１１２）、次ユーザがいる場合にはステップＳ１０５に進む一方、次ユーザがいない場合には、本処理を終了する。
【００５３】
以上詳細に説明したように、本実施の形態によれば、端末装置へメッセージを送信する際に、メッセージの送信条件が設定され（図５、図９のステップＳ１０２，１０３）、
ストレージ部４０７に格納されたプレゼンス情報と上記設定されたメッセージの送信条件とが一致するか否かが判別され（図９のステップＳ１０７〜１１０）、プレゼンス情報とメッセージの送信条件とが一致する場合に、端末装置へメッセージが送信される（ステップＳ１１１）ので、例えば、「今からサーバメンテナンスのため１０分ほどサービス停止します」、「サーババックアップ作業のためサーバレスポンスが低下します」等のシステムのメンテナンス情報のメッセージをシステムにログインしていないオフラインユーザやオンラインではあるが不在のユーザに送信しないようにすることができる。結果として、ユーザにとって必要の無い余計なメッセージの送信を削減し、ユーザに不要な情報が記載されているメッセージを読む手間をなくし、ネットワークトラフィックやシステム全体の負荷を軽減することがきる。
【００５４】
また、本発明の目的は、実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００５５】
この場合、記憶媒体から読み出されたプログラムコード自体が前述した実施の形態の機能を実現することになり、そのプログラムコード及び該プログラムコードを記憶した記憶媒体は本発明を構成することになる。
【００５６】
又、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【００５７】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００５８】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【図面の簡単な説明】
【００５９】
【図１】本発明の実施の形態における情報処理装置が適用されるプレゼンス情報共有システムの全体構成を示す図である。
【図２】端末装置１０１の画面に表示されるプレゼンス情報共有システムの画面表示の一例を示す図である。
【図３】端末装置１０１の構成を示すブロック図である。
【図４】サーバ装置１０４の構成を示すブロック図である。
【図５】サーバ装置１０４の表示部４０４に表示されている、メッセージを送信するための送信画面の一例を示す図である。
【図６】端末装置１０１に表示されるサーバ装置１０４を介して受信したメッセージを示す図である。
【図７】サーバ装置１０４のストレージ部４０７に保存されているユーザの管理テーブルの一部を示す図である。
【図８】サーバ装置１０４のストレージ部４０７に保存されているプレゼンス情報の管理テーブルの一部を示す図である。
【図９】サーバ装置１０４のメッセージ送信処理を示すフローチャートである。
【符号の説明】
【００６０】
１０１，１０２，１０５  端末装置
１０４  サーバ装置
４０１  通信制御部
４０２  入力部
４０３  ＣＰＵ
４０４  表示部
４０５  ＲＯＭ
４０６  ＲＡＭ
４０７  ストレージ部
【図１】
2006285782.tif 000003
【図２】
2006285782.tif 000004
【図３】
2006285782.tif 000005
【図４】
2006285782.tif 000006
【図５】
2006285782.tif 000007
【図６】
2006285782.tif 000008
【図７】
2006285782.tif 000009
【図８】
2006285782.tif 000010
【図９】
2006285782.tif 000011